(57)【要約】【課題】  マネキン人形にあって、下半身を写実的にして全身の服飾イメージを明確にし、上半身用の服に対する正当な評価ができるようにすることにある。【解決手段】  身体の下半部の着衣形態を写実的に造形した合成樹脂製のオブジェ体１に、身体の裸上半部形状の合成樹脂製ボディ５を組付け、このボディ５に衣装を着せることを特徴とする構成で、オブジェ体１に腕２を一体立設すれば、多様なポーズを選択することができ、着せ換え時に腕の着脱作業を省くことができる。【選択図】        図２
2005065818.tif 000002
【特許請求の範囲】
【請求項１】
身体の下半部の着衣形態を造形した合成樹脂製のオブジェ体（１）に、身体の裸上半部形状の合成樹脂製ボディ（５）を組付け、該ボディ（５）に衣装を着せることを特徴とするマネキン人形。
【請求項２】
オブジェ体（１）に腕（２）を一体立設したことを特徴とする請求項１に記載のマネキン人形。
【発明の詳細な説明】
【技術分野】
【０００１】
本発明は、実物形態の下半部に上部マネキンを組み付けるマネキン人形に関する。
【背景技術】
【０００２】
従来よりのマネキン人形では、上半身のみの服を着せる場合、上半身だけのボディを使用しており、全身の服飾イメージが判然としない不満があった。従前のように、上下服を着せて服をコーディネートするボディやマネキンは存するが、服を着せて飾る（演出する）ことを前提としているので、上半身に着せる服と下半身に着せる服を組み合わせての着衣により、はじめてマネキン或はボディとしての存在が生じる。即ち上下一体の統一感である。
【特許文献１】特開２００３−２４１９７号公報
【発明の開示】
【発明が解決しようとする課題】
【０００３】
処が、服飾の選択は当然ながら個人的な好みが大きく、下半身に着せられている服の個性によっては、上半身に着せられた服に対する正当な評価ができなくなる虞れがある。
【０００４】
つまり上半身のみの服を着せる場合、下半身が存在しなくても、全身の服飾イメージを明確にしながら上半身用の服の個性を発揮させることができるようにすることが望まれるのである。
【０００５】
また、従来のマネキン人形では、上半身用の衣装を着せ換える場合、肩の部分で腕を取り外して行っていた。処がこの構造にあって、人形として組み立てたときの全体姿勢では、当然ながら腕の下端である手の部分は身体から離れた宙に浮いた状態にあり、画一的なポーズしか取らせることができなかった。例えば、手先をポケットに挿入させる形態はほとんど不可能である。
【０００６】
よって本発明は、この従来の不満点を解消し要求に応えるべく発明されたマネキン人形であって、下半身をオブジェ形態にして全身の服飾イメージを明確にし、上半身用の服に対する正当な評価ができるようにすることを目的とする。
【課題を解決するための手段】
【０００７】
上記課題を解決するため本発明のマネキン人形は、身体の下半部の着衣形態を造形した合成樹脂製のオブジェ体に、身体の裸上半部形状の合成樹脂製ボディを組付け、このボディに衣装を着せることを特徴とする構成である。
【０００８】
この場合、オブジェ体に腕を一体立設する。
【発明の効果】
【０００９】
本発明のマネキン人形は上述したような構成をとる結果、オブジェ体により身体の下半部を現実感のある実物に近い形態として視認させることができるので、ボディに着せられた上半部の衣装もまた、その個性を十全に発揮させる現実感の高いものになり、需要者をして自己の感覚に沿った製品を正確に選択させることができることになる。
【００１０】
また、オブジェ体に腕を一体立設すれば、その手の部分をポケットに突っ込ませるなり、腰に当てがうなりして好みのポーズをとらせることができるため、多くのバリエーションに富んだ形態を選択することが可能になる。
【発明を実施するための最良の形態】
【００１１】
図１、２にあって、合成樹脂製のオブジェ体１は身体の下半部の着衣形態を例えば写実的に造形した構成であり、パンツ形状であって腿の部分までであるが、スカート形態や足の爪先まで成形したものであっても良い。勿論、靴まで一体造形したり、裸足で実物の靴を履かせるようにしても良い。
【００１２】
また、オブジェ体１の両前ポケット部分からは、肩のつけ根部分まで成形された腕２が一体立設されている。即ち、両手を両前ポケット部分に突っ込んだポーズであるが、これに限るものではなく、片方の腕２だけでも良く、尻のポケットに突っ込ませたり、更には単に腰に当てがわせたり等と、様々な姿勢を取らせることができる。
【００１３】
そしてオブジェ体１の上部である腰部分は、上方が開放された空部３となっており、この空部３の中心からはシャフト４が立設されている。
【００１４】
次に身体の裸上半部形状の合成樹脂製ボディ５は、両腕のない所謂トルソー形状であるが、上記オブジェ体１の一体立設される腕２の形態によっては、別体の腕をこのボディ５の肩に着脱自在なものにする。即ち、オブジェ体１に腕２を一体立設しない場合には両腕を着脱自在に、片方だけの腕２が一体立設されている場合には他方の腕を着脱自在に、構成するのである。
【００１５】
そしてボディ５の下端部は、オブジェ体１の空部３に上方から嵌まり込む嵌合部６となっており、この嵌合部６の下端には、前記したシャフト４が嵌入するソケット７が垂下設されている。
【実施例１】
【００１６】
図２は、オブジェ体１のシャフト４をボディ５のソケット７に嵌入させ、適宜高さ位置で締結具８により締め付け固定した状態で着衣を施そうとする態勢を示すものである。
【００１７】
図２の状態で、ボディ５に市販のシャツやブラウスＡを着せ、ボタンをはめたならば、ボディ５の嵌合部６に対応する箇所でブラウスＡ等の下部である裾を仮ベルト９で締めてまとめ、皺を伸ばす等の適宜の外観体裁を整える。
【００１８】
また、オブジェ体１から立設された腕２の上端とボディ５との間には間隙が形成されているので、この間隙からブラウスＡ等の袖を腕２上端にかぶせて通し、締結具８を緩めてボディ５の嵌合部６をブラウスＡ等の裾と共にオブジェ体１の空部３に上方から嵌合させ、更に腕２に沿って袖を引き降ろし、図４の状態とするのである。腕がオブジェ体１と別体である場合には、着衣途中で腕の着脱を行うことになる。
【実施例２】
【００１９】
また、シャツやブラウスを含め、セーターやジャケットのように、裾をオブジェ体１の外に出す場合には（図５参照）、同様の着せ方で良く、但し仮ベルト９を用いる必要はない。そしてこの場合には、オブジェ体１からボディ５を上昇させることなく、ボディ５の嵌合部６をオブジェ体１の空部３に嵌合させたままの状態で、着せ換えをすることができる。
【図面の簡単な説明】
【００２０】
【図１】本発明のマネキン人形の分解斜視図である。
【図２】本発明のマネキン人形の組立て状態の斜視図である。
【図３】本発明のマネキン人形の着付け操作時の斜視図である。
【図４】本発明のマネキン人形の着付け完了の斜視図である。
【図５】シャツの裾をオブジェ体の外に出した状態の斜視図である。
【符号の説明】
【００２１】
１    オブジェ体
２    腕
３    空部
４    シャフト
５    ボディ
６    嵌合部
７    ソケット
８    締結具
９    仮ベルト
【図１】
2005065818.tif 000003
【図２】
2005065818.tif 000004
【図３】
2005065818.tif 000005
【図４】
2005065818.tif 000006
【図５】
2005065818.tif 000007